【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
属性情報を備える印刷情報を外部装置から受信する受信部と、
ユーザにより選択可能で且つ属性情報に関連付く複数のオブジェクトが並ぶ画面を表示可能な表示部と、
前記複数のオブジェクトのうち選択されたオブジェクトに関連付く属性情報を備える印刷情報を用いて画像形成を実行可能な画像形成部と、を有し、
前記表示部は、前記複数のオブジェクトのうちの1つのオブジェクトとして前記画面に特定の属性情報に関連付く特定のオブジェクトを配置可能であり、
前記画面の表示中にユーザから前記特定の属性情報に関連付く認証情報を取得することで前記特定のオブジェクトの選択によらずに、前記画像形成部は、前記特定の属性情報を備える印刷情報を用いて画像形成を実行可能であることを特徴とする画像形成装置。
【請求項２】
前記表示部は、前記画面において前記特定のオブジェクトと他のオブジェクトが並ぶ第１の表示状態と、前記画面において前記特定のオブジェクトと前記他のオブジェクトの相対的な位置関係が前記第１の表示状態のときと異なる第２の表示状態と、を取り得ることを特徴とする請求項１に記載の画像形成装置。
【請求項３】
前記表示部は、前記画面において前記複数のオブジェクトの中に前記特定のオブジェクトが含まれる第１の表示状態と、前記画面において前記複数のオブジェクトの中に前記特定のオブジェクトが含まれない第２の表示状態と、を取り得ることを特徴とする請求項１に記載の画像形成装置。
【請求項４】
ユーザが所持する記憶媒体から前記認証情報を読み込む読込部を備えることを特徴とする請求項１乃至３のいずれか１項に記載の画像形成装置。
【請求項５】
前記記憶媒体はＩＣカードであることを特徴とする請求項４に記載の画像形成装置。
【請求項６】
前記表示部は、前記画面において前記複数のオブジェクトを表示する場合、ユーザが前記特定のオブジェクトを他のオブジェクトに対して判別できるように表示することを特徴とする請求項１乃至５のいずれか１項に記載の画像形成装置。
【請求項７】
前記複数のオブジェクトのうちの各オブジェクトは、関連付く属性情報に基づく名称が各々記載されていることを特徴とする請求項１乃至６のいずれか１項に記載の画像形成装置。
【請求項８】
属性情報を備える印刷情報を外部装置から受信する受信部と、
ユーザにより選択可能で且つ属性情報と関連付く複数のオブジェクトが並ぶ画面を表示可能な表示部と、
ユーザから取得した認証情報に基づいて認証処理を行う認証部と、
前記複数のオブジェクトの中から選択されたオブジェクトに関連付く印刷情報を用いて画像形成を実行可能な画像形成部であって、前記認証情報に関連付く印刷情報を用いて画像形成を実行可能な画像形成部と、を有し、
前記認証部は、前記画面の表示中に前記認証処理を実行可能であることを特徴とする画像形成装置。
【請求項９】
前記表示部は、前記画面において第１のオブジェクトと第２オブジェクトが並ぶ第１の表示状態と、前記画面において前記第１のオブジェクトと前記第２のオブジェクトの相対的な位置関係が前記第１の表示状態のときと異なる第２の表示状態と、を取り得ることを特徴とする請求項８に記載の画像形成装置。
【請求項１０】
前記表示部は、前記画面において前記複数のオブジェクトの中に特定のオブジェクトを含む第１の表示状態と、前記画面において前記複数のオブジェクトの中に前記特定のオブジェクトを含まない第２の表示状態と、を取り得ることを特徴とする請求項８に記載の画像形成装置。
【請求項１１】
ユーザが所持する記憶媒体から認証情報を読み込む読込部を備えることを特徴とする請求項８乃至１０のいずれか１項に記載の画像形成装置。
【請求項１２】
前記記憶媒体はＩＣカードであることを特徴とする請求項１１に記載の画像形成装置。
【請求項１３】
前記表示部は、前記画面において前記複数のオブジェクトを表示する場合、ユーザが第１のオブジェクトを第２のオブジェクトに対して判別できるように表示することを特徴とする請求項８乃至１２のいずれか１項に記載の画像形成装置。
【請求項１４】
前記複数のオブジェクトのうちの各オブジェクトは、関連付く属性情報に基づく名称が各々記載されていることを特徴とする請求項８乃至１２のいずれか１項に記載の画像形成装置。
【請求項１５】
ユーザにより選択可能で且つ宛先情報に関連付く複数のオブジェクトが並ぶ画面を表示可能な表示部と、
前記複数のオブジェクトの中から選択されたオブジェクトに関連付く宛先情報を用いて外部装置に画像データを送信すべく記録材から画像データを読み取る読取部と、を有し、
前記表示部は、前記複数のオブジェクトのうちの1つのオブジェクトとして前記画面に特定の属性情報に関連付く特定のオブジェクトを配置可能であり、
前記画面の表示中にユーザから前記特定の宛先情報に関連付く認証情報を取得することで前記特定のオブジェクトの選択によらずに、前記読取部は、画像データを前記特定の宛先情報を用いて送信可能であることを特徴とする画像読取装置。
【請求項１６】
前記表示部は、前記画面において前記特定のオブジェクトと他のオブジェクトが並ぶ第１の表示状態と、前記画面において前記特定のオブジェクトと前記他のオブジェクトの相対的な位置関係が前記第１の表示状態のときと異なる第２の表示状態と、を取り得ることを特徴とする請求項１５に記載の画像読取装置。
【請求項１７】
前記表示部は、前記画面において前記複数のオブジェクトの中に前記特定のオブジェクトを含む第１の表示状態と、前記画面において前記複数のオブジェクトの中に前記特定のオブジェクトを含まない第２の表示状態と、を取り得ることを特徴とする請求項１５に記載の画像読取装置。
【請求項１８】
ユーザが所持する記憶媒体から前記認証情報を読み込む読込部を備えることを特徴とする請求項１５乃至１７のいずれか１項に記載の画像読取装置。
【請求項１９】
前記記憶媒体はＩＣカードであることを特徴とする請求項１８に記載の画像読取装置。
【請求項２０】
前記表示部は、前記画面において前記複数のオブジェクトを表示する場合、ユーザが前記特定のオブジェクトを他のオブジェクトに対して判別できるように表示することを特徴とする請求項１５乃至１９のいずれか１項に記載の画像読取装置。
【請求項２１】
ユーザにより選択可能で且つ宛先情報に関連付く複数のオブジェクトが並ぶ画面を表示可能な表示部と、
ユーザから取得した認証情報に基づいて認証処理を行う認証部と、
前記複数のオブジェクトの中から選択されたオブジェクトに関連付く宛先情報を用いて外部装置に画像データを送信すべく記録材から画像データを読み取る読取部であって、前記認証部が取得した認証情報に関連付く宛先情報を用いて画像データを外部装置に送信すべく記録材から画像データを読み取る読取部と、を有し、
前記認証部は、前記画面の表示中に前記認証処理を実行可能であることを特徴とする画像読取装置。
【請求項２２】
前記表示部は、前記画面において第１のオブジェクトと第２オブジェクトが並ぶ第１の表示状態と、前記画面において前記第１のオブジェクトと前記第２のオブジェクトの相対的な位置関係が前記第１の表示状態のときと異なる第２の表示状態と、を取り得ることを特徴とする請求項２１に記載の画像読取装置。
【請求項２３】
前記表示部は、前記画面において前記複数のオブジェクトの中に特定のオブジェクトを含む第１の表示状態と、前記画面において前記複数のオブジェクトの中に前記特定のオブジェクトを含まない第２の表示状態と、を取り得ることを特徴とする請求項２１に記載の画像読取装置。
【請求項２４】
ユーザが所持する記憶媒体から前記認証情報を読み込む読込部を備えることを特徴とする請求項２１乃至２３のいずれか１項に記載の画像読取装置。
【請求項２５】
前記記憶媒体はＩＣカードであることを特徴とする請求項２４に記載の画像読取装置。
【請求項２６】
前記表示部は、前記画面において前記複数のオブジェクトを表示する場合、ユーザが第１のオブジェクトを第２のオブジェクトに対して判別できるように表示することを特徴とする請求項２１乃至２５のいずれか１項に記載の画像読取装置。
【請求項２７】
表示部と、画像形成部と、を有する画像形成装置の制御方法であって、
属性情報を備える印刷情報を外部装置から受信するステップと、
ユーザにより選択可能で且つ属性情報に関連付く複数のオブジェクトが並ぶ画面を前記表示部に表示させるステップと、
前記複数のオブジェクトのうち選択されたオブジェクトに関連付く属性情報を備える印刷情報を用いて前記画像形成部が画像形成を実行することを許可するステップと、を有し、
前記表示させるステップにおいて、前記複数のオブジェクトのうちの1つのオブジェクトとして前記画面に特定の属性情報に関連付く特定のオブジェクトを配置可能であり、
前記表示させるステップよりも後のステップで且つ前記許可するステップよりも前のステップにおいてユーザから前記特定の属性情報に関連付く認証情報を取得することで、前記特定の属性情報を備える印刷情報を用いて前記画像形成部が画像形成を実行することを、前記許可するステップによらずに許可可能であることを特徴とする画像形成装置の制御方法。
【請求項２８】
請求項２７に記載の制御方法を実行するためのプログラムが記憶されたコンピュータ読み取り可能な記憶媒体。
【請求項２９】
表示部と、画像形成部と、を有する画像形成装置の制御方法であって、
属性情報を備える印刷情報を外部装置から受信するステップと、
ユーザにより選択可能で且つ属性情報に関連付く複数のオブジェクトが並ぶ画面を前記表示部に表示させるステップと、
ユーザから取得した認証情報に基づいて認証処理を行うステップと、
前記認証情報に関連付く印刷情報を用いて画像形成部が画像形成を実行することを許可する第１の許可ステップと、
前記複数のオブジェクトの中から選択されたオブジェクトに関連付く印刷情報を用いて画像形成部が画像形成を実行することを許可する第２の許可ステップと、を有し、
前記第１の許可ステップは、前記表示させるステップよりも後のステップで且つ前記第２の許可ステップをよりも前のステップであることを特徴とする画像形成装置の制御方法。
【請求項３０】
請求項２９に記載の制御方法を実行するためのプログラムが記憶されたコンピュータ読み取り可能な記憶媒体。
【請求項３１】
表示部と、読取部と、を有する画像読取装置の制御方法であって、
ユーザにより選択可能で且つ宛先情報に関連付く複数のオブジェクトが並ぶ画面を前記表示部に表示させるステップと、
前記読取部が記録材から読み取った画像データを、前記読取部が前記複数のオブジェクトの中から選択されたオブジェクトに関連付く宛先情報を用いて送信することを許可するステップと、
前記表示させるステップよりも後のステップで且つ前記許可するステップよりも前のステップにおいてユーザから前記特定の宛先情報に関連付く認証情報を取得することで、前記特定の宛先情報を用いて前記読取部が画像データを送信することを、前記許可するステップによらずに許可可能であることを特徴とする画像読取装置の制御方法。
【請求項３２】
請求項３１に記載の制御方法を実行するためのプログラムが記憶されたコンピュータ読み取り可能な記憶媒体。
【請求項３３】
表示部と、読取部と、を有する画像読取装置の制御方法であって、
ユーザにより選択可能で且つ宛先情報に関連付く複数のオブジェクトが並ぶ画面を前記表示部に表示させるステップと、
ユーザから取得した認証情報に基づいて認証処理を行うステップと、
認証情報に関連付く宛先情報を用いて画像データを外部装置に送信すべく前記読取部が記録材から画像データを読み取ることを許可する第１の許可ステップと、を有し、
前記複数のオブジェクトの中から選択されたオブジェクトに関連付く宛先情報を用いて外部装置に画像データを送信すべく前記読取部が記録材から画像データを読み取ることを許可する第２の許可ステップと、を有し、
前記第１の許可ステップは、前記表示させるステップよりも後のステップで且つ前記第２の許可ステップをよりも前のステップであることを特徴とする画像読取装置の制御方法。
【請求項３４】
請求項３３に記載の制御方法を実行するためのプログラムが記憶されたコンピュータ読み取り可能な記憶媒体。
【手続補正２】
【補正対象書類名】明細書
【補正対象項目名】発明の名称
【補正方法】変更
【補正の内容】
【発明の名称】画像形成装置、画像読取装置、画像形成装置の制御方法、画像読取装置の制御方法、及び記憶媒体
【手続補正３】
【補正対象書類名】明細書
【補正対象項目名】０００１
【補正方法】変更
【補正の内容】
【０００１】
本発明は、画像形成装置、画像読取装置、画像形成装置の制御方法、画像読取装置の制御方法、及び記憶媒体に関するものである。
【手続補正４】
【補正対象書類名】明細書
【補正対象項目名】０００９
【補正方法】変更
【補正の内容】
【０００９】
上記目的を達成する本発明の画像形成装置は以下に示す構成を備える。
属性情報を備える印刷情報を外部装置から受信する受信部と、ユーザにより選択可能で且つ属性情報に関連付く複数のオブジェクトが並ぶ画面を表示可能な表示部と、前記複数のオブジェクトのうち選択されたオブジェクトに関連付く属性情報を備える印刷情報を用いて画像形成を実行可能な画像形成部と、を有し、前記表示部は、前記複数のオブジェクトのうちの1つのオブジェクトとして前記画面に特定の属性情報に関連付く特定のオブジェクトを配置可能であり、前記画面の表示中にユーザから前記特定の属性情報に関連付く認証情報を取得することで前記特定のオブジェクトの選択によらずに、前記画像形成部は、前記特定の属性情報を備える印刷情報を用いて画像形成を実行可能であることを特徴とする。
また、属性情報を備える印刷情報を外部装置から受信する受信部と、ユーザにより選択可能で且つ属性情報と関連付く複数のオブジェクトが並ぶ画面を表示可能な表示部と、ユーザから取得した認証情報に基づいて認証処理を行う認証部と、前記複数のオブジェクトの中から選択されたオブジェクトに関連付く印刷情報を用いて画像形成を実行可能な画像形成部であって、前記認証情報に関連付く印刷情報を用いて画像形成を実行可能な画像形成部と、を有し、前記認証部は、前記画面の表示中に前記認証処理を実行可能であることを特徴とする。
さらに、上記目的を達成する本発明の画像読取装置は以下に示す構成を備える。
ユーザにより選択可能で且つ宛先情報に関連付く複数のオブジェクトが並ぶ画面を表示可能な表示部と、前記複数のオブジェクトの中から選択されたオブジェクトに関連付く宛先情報を用いて外部装置に画像データを送信すべく記録材から画像データを読み取る読取部と、を有し、前記表示部は、前記複数のオブジェクトのうちの1つのオブジェクトとして前記画面に特定の属性情報に関連付く特定のオブジェクトを配置可能であり、前記画面の表示中にユーザから前記特定の宛先情報に関連付く認証情報を取得することで前記特定のオブジェクトの選択によらずに、前記読取部は、画像データを前記特定の宛先情報を用いて送信可能であることを特徴とする。
また、ユーザにより選択可能で且つ宛先情報に関連付く複数のオブジェクトが並ぶ画面を表示可能な表示部と、ユーザから取得した認証情報に基づいて認証処理を行う認証部と、前記複数のオブジェクトの中から選択されたオブジェクトに関連付く宛先情報を用いて外部装置に画像データを送信すべく記録材から画像データを読み取る読取部であって、前記認証部が取得した認証情報に関連付く宛先情報を用いて画像データを外部装置に送信すべく記録材から画像データを読み取る読取部と、を有し、前記認証部は、前記画面の表示中に前記認証処理を実行可能であることを特徴とする。